(57)【特許請求の範囲】
【請求項１】
一定の筆圧又は印字圧により破砕される発色剤からなる発色層が下面に形成された上側帳票と、
前記上側帳票の下側に配置され、前記上側帳票上から一定の筆圧又は印字圧が与えられることにより前記上側帳票の破砕された発色剤と反応して発色する顕色剤からなる顕色層が上面に形成され、所定の外縁部を分離可能な裁断部を有する配送票と、
前記配送票の下側に配置された下側帳票と、
前記上側帳票の前記発色層上又は前記配送票の前記顕色層上の所定領域、及び前記配送票の下面であって前記所定の外縁部上又は前記下側帳票の上面であって前記配送票の前記所定の外縁部と厚み方向で重なる領域に設けられ、それぞれ前記上側帳票と前記配送票、及び前記配送票と前記下側帳票とを接着する接着層と  を備えることを特徴とする配送伝票。
【請求項２】
一定の筆圧又は印字圧により破砕される発色剤からなる発色層が下面に形成された上側帳票と、
前記上側帳票の下側に配置され、前記上側帳票上から一定の筆圧又は印字圧が与えられることにより前記上側帳票の破砕された発色剤と反応して発色する顕色剤からなる顕色層が上面に形成され、所定の外縁部に切り欠き部又は開口部を有するとともに、前記切り欠き部又は前記開口部を含む領域を分離可能な裁断部を有する配送票と、
前記配送票の下側に配置された下側帳票と、
前記下側帳票の上面であって前記配送票の前記所定の外縁部と厚み方向で重なる領域に設けられ、前記配送票と接着するとともに、前記配送票の前記切り欠き部又は前記開口部を介して前記上側帳票の前記発色層と接着する接着層と
を備えることを特徴とする配送伝票。
【請求項３】
請求項１又は２に記載の配送伝票において、
前記配送票の下面には、前記発色層が設けられており、
前記下側帳票の上面には、前記顕色層が設けられている
ことを特徴とする配送伝票。
【請求項４】
請求項１又は２に記載の配送伝票において、
前記下側帳票の上面には、前記筆圧又は印字圧により自己発色する前記発色剤及び前記顕色剤からなる自己発色層が設けられている
ことを特徴とする配送伝票。
【請求項５】
一定の筆圧又は印字圧により破砕される発色剤からなる発色層が下面に形成された上側帳票と、
前記上側帳票の下側に配置され、前記上側帳票上から一定の筆圧又は印字圧が与えられることにより前記上側帳票の破砕された発色剤と反応して発色する顕色剤からなる顕色層が上面に形成され、前記発色層が下面に形成され、所定の外縁部に切り欠き部又は開口部を有する配送票と、
前記配送票の下側に配置され、前記顕色層が上面に形成された下側帳票と、
前記下側帳票の前記顕色層上であって前記配送票の前記所定の外縁部と厚み方向で重なる領域に設けられ、前記配送票の前記発色層と接着するとともに、前記配送票の前記切り欠き部又は前記開口部を介して前記上側帳票の前記発色層と接着する接着層と
を備えることを特徴とする配送伝票。
【請求項６】
請求項５に記載の配送伝票において、
前記配送票は、前記切り欠き部又は前記開口部を含む領域を分離可能な裁断部を有する
ことを特徴とする配送伝票。
【請求項７】
請求項１〜６に記載の配送伝票において、
前記上側帳票の基材は、筆記性，印刷適性，押印適性を有する合成紙からなる  ことを特徴とする配送伝票。
【発明の詳細な説明】
【０００１】
【産業上の利用分野】
この発明は、宅配荷物や郵便小包み等に使用する複写式の配送伝票に関するものである。
【０００２】
【従来の技術】
図８は、従来のこの種の配送伝票の一例の構成を示す斜視図である。配送伝票１０は、プリンタ等で印字可能に図中上下方向に連接された連続帳票である。配送伝票１０は、荷札用帳票１１と、配達完了票１２と、届先控え票１４と、控え用帳票１３とから構成されている。
【０００３】
荷札用帳票１１は、上側帳票１１ａと下側帳票１１ｂとから構成されている。上側帳票１１ａと下側帳票１１ｂとは、図中右側外縁部が開口されて略袋状に接着されている。配達完了票１２及び届先控え票１４は、この略袋状に形成された荷札用帳票１１内に抜き取り可能に配置されている。配達完了票１２及び届先控え票１４がこのように配置されているのは、運送中等において配送伝票１０本体から配達完了票１２及び届先控え票１４が脱落することを防止するためである。配達完了票１２及び届先控え票１４は、その抜き取りを容易にするために、図中右側外縁部が荷札用帳票１１の右端部から露出している。
控え用帳票１３は、この例では４枚の控え用帳票１３ａ〜１３ｄから構成され、荷札用帳票１１上に重ねられている。控え用帳票１３は、左側外縁部が切りとり可能に重合されている。
控え用帳票１３の裏面（図中斜線部領域），荷札用帳票１１の上側帳票１１ａの裏面，配達完了票１２の裏面には、例えば黒色又は藍色等の複写用カーボン層が形成されている。
【０００４】
控え用帳票１３ａ上に筆圧またはドットプリンタの印字圧が作用すると、複写用カーボン層が控え用帳票１３ｂ〜１３ｄ，荷札用帳票１１，配達完了票１２，届先控え票１４に転写する。すなわち、控え用帳票１３ａに記録された情報（文字やバーコード等）の全部又は一部が控え用帳票１３ｂ〜１３ｄ，荷札用帳票１１，配達完了票１２，届先控え票１３に複写される。
【０００５】
【発明が解決しようとする課題】
しかし、前述の従来の配送伝票では、以下の課題があった。
第１に、荷札用帳票１１は、その内部に配達完了票１２及び届先控え票１４を収納しているが、これらの配達完了票１２，届先控え票１４が配送伝票１０自体から脱落するのを防止するために、荷札用帳票１１の袋状に接着されている接着部は、ある程度の強度を必要とした。このため、接着剤の塗布幅をある程度確保する必要があった。また、配達完了票１２，届先控え票１４は、最終的に抜き取られることになるので、その際に、抜き取りを容易にするために、接着部との間に一定の空隙を必要としていた。以上の理由から、荷札用帳票１１は、その縦寸法を配達完了票１２，届先控え票１４より約１２〜２６ｍｍ程度大きくする必要があった。
【０００６】
第２に、配送伝票１０のコストを低減するために、配送伝票１０に用いる帳票の枚数を極力削減したいという要請があった。しかし、この配送伝票１０が用いられる物流過程では、配送物が着店に到着した後に、上述の荷札用帳票１１，配達完了票１２，届先控え票１３の少なくとも３枚の帳票の使用が不可欠である。そこで、上記要請に応えるべく、荷札用帳票１１を１枚の帳票から形成し、この上に届先控え票１４，配達完了票１２を順次重ねて剥離可能に粘着させたものが、従来より提案されている。
【０００７】
しかし、この方法では、配達完了票１２，届先控え票１４を剥離したときに、これらに粘着剤さらには帳票の一部が残ってしまう場合があった。特に配達完了票１２は電算処理されたり、ファイルに綴じ込まれて保管される等の処理が行われる帳票であるので、粘着剤等が付着しているのは好ましくない。
ここで、帳票をプラスチックフィルム等から形成し、水性の接着剤を用いて粘着すれば、粘着力が弱まるので、配達完了票１２，届先控え票１４をきれいに剥離することができるようになる。しかし、粘着強度が弱くなることにより、配送時に剥離してしまうおそれがあるという問題がある。一方、粘着強度と剥離しやすさとのバランスをとること自体が極めて困難であるし、バランスをとりながら大量の配送伝票１０を製造することも、生産性が著しく低下するという問題がある。
【０００８】
本発明は、上述のような課題を解消するためになされたものであって、（１）帳票間の粘着強度と剥離しやすさとのバランスを図り、（２）配送伝票に使用される帳票の枚数を削減することを目的とする。
【００１０】
【課題を解決するための手段】
上述の目的を達成するため、本発明による配送伝票の第１の解決手段（２０Ａ）は、一定の筆圧又は印字圧により破砕される発色剤からなる発色層が下面に形成された上側帳票（２２）と、前記上側帳票の下側に配置され、前記上側帳票上から一定の筆圧又は印字圧が与えられることにより前記上側帳票の破砕された発色剤と反応して発色する顕色剤からなる顕色層が上面に形成され、所定の外縁部を分離可能な裁断部（２４ｆ）を有する配送票（２４Ａ）と、前記配送票の下側に配置された下側帳票（２１）と、前記上側帳票の前記発色層上又は前記配送票の前記顕色層上の所定領域、及び前記配送票の下面であって前記所定の外縁部上又は前記下側帳票の上面であって前記配送票の前記所定の外縁部と厚み方向で重なる領域に設けられ、それぞれ前記上側帳票と前記配送票、及び前記配送票と前記下側帳票とを接着する接着層とを備えることを特徴とする。
【００１１】
第２の解決手段（２０Ｃ）は、一定の筆圧又は印字圧により破砕される発色剤からなる発色層が下面に形成された上側帳票（２２）と、前記上側帳票の下側に配置され、前記上側帳票上から一定の筆圧又は印字圧が与えられることにより前記上側帳票の破砕された発色剤と反応して発色する顕色剤からなる顕色層が上面に形成され、所定の外縁部に切り欠き部又は開口部（２４ｇ）を有するとともに、前記切り欠き部又は前記開口部を含む領域を分離可能な裁断部（２４ｆ）を有する配送票（２４Ｃ）と、前記配送票の下側に配置された下側帳票（２１）と、前記下側帳票の上面であって前記配送票の前記所定の外縁部と厚み方向で重なる領域に設けられ、前記配送票と接着するとともに、前記配送票の前記切り欠き部又は前記開口部を介して前記上側帳票の前記発色層と接着する接着層とを備えることを特徴とする。
【００１２】
第３の解決手段は、第１又は第２の解決手段において、前記配送票の下面には、前記発色層が設けられており、前記下側帳票の上面には、前記顕色層が設けられていることを特徴とする。
【００１３】
第４の解決手段は、第１又は第２の解決手段において、前記下側帳票の上面には、前記筆圧又は印字圧により自己発色する前記発色剤及び前記顕色剤からなる自己発色層が設けられていることを特徴とする。
【００１４】
第５の解決手段（２０Ｂ）は、一定の筆圧又は印字圧により破砕される発色剤からなる発色層が下面に形成された上側帳票（２２）と、前記上側帳票の下側に配置され、前記上側帳票上から一定の筆圧又は印字圧が与えられることにより前記上側帳票の破砕された発色剤と反応して発色する顕色剤からなる顕色層が上面に形成され、前記発色層が下面に形成され、所定の外縁部に切り欠き部又は開口部（２４ｇ）を有する配送票（２４Ｂ）と、前記配送票の下側に配置され、前記顕色層が上面に形成された下側帳票（２１）と、前記下側帳票の前記顕色層上であって前記配送票の前記所定の外縁部と厚み方向で重なる領域に設けられ、前記配送票の前記発色層と接着するとともに、前記配送票の前記切り欠き部又は前記開口部を介して前記上側帳票の前記発色層と接着する接着層とを備えることを特徴とする。
【００１５】
第６の解決手段は、第５の解決手段において、前記配送票は、前記切り欠き部又は前記開口部を含む領域を分離可能な裁断部を有することを特徴とする。
第７の解決手段は、第１〜第７の解決手段において、前記上側帳票の基材は、筆記性，印刷適性，押印適性を有する合成紙からなることを特徴とする。
【００１６】
【作用】
本発明においては、上側帳票に情報が記録されると、上側帳票及び配送票の発色層が筆圧又は印字圧により破砕され、それぞれ配送票及び下側帳票の顕色層と反応し、それぞれ配送票及び下側帳票に情報が複写される。また、発色層と顕色層との間に接着層が設けられ、上側帳票と配送票、及び配送票と下側帳票とが接着される。上側帳票が配送票から、及び配送票が下側帳票から剥離されるときに、発色層から分離される。従って、運送時等には剥離が発生せず、かつ剥離しやすい接着強度が確保されるとともに、剥離された上側帳票には接着剤が残らなくなる。さらに、配送伝票の縦寸法を従来より小さくすることができるとともに、配送伝票に使用される帳票の枚数が削減される。
【００１７】
第１〜第４の解決手段にあっては、裁断部が裁断されることにより、配送票が分離される。従って、分離された配送票に接着剤が残らなくなる。
さらに、第２〜第６の解決手段にあっては、上側帳票は、配送票の切り欠き部又は開口部を介して、下側帳票に設けられた接着層と接着される。従って、配送票に接着層を設ける必要がなくなる。
さらにまた、第７の解決手段にあっては、上側帳票は、筆記性，印刷適性，押印適性を有する合成紙からなるので、上側帳票が配送票から剥離されるときに、発色層から容易に剥離することができる。
【００１８】
【実施例】
以下、図面等を参照して、本発明の一実施例について説明する。図１は、本発明による配送伝票の第１の実施例の構成を示す分解斜視図である。この配送伝票２０は、図８で示した配送伝票１０と同様に、プリンタ等で印字可能に図中上下方向に連接された連続帳票である。配送伝票２０は、荷札用帳票２１と、その上部に順次重ねられた客用控え票２４，配達完了票２２，控え用帳票２３とから構成されている。図１においては図示しないが、図８の配送伝票１０と同様に、荷札用帳票２１，客用控え票２４，配達完了票２２，控え用帳票２３上には、それぞれ配送物の届先，依頼元，品名等を記載する記録領域と、さらには商品名等の配送物に関する属性情報を符号化したバーコードの記録領域が設けられている。これらの各記録領域は、全ての同一のものを設けても良く、あるいは用途等に応じて異なるものを設けても良い。
【００１９】
図２は、図１の荷札用帳票２１，客用控え票２４，配達完了票２２の断面を詳細に示す図である。
配達完了票２２は、基材２２ａと、その下面に形成された発色層２２ｃとから構成されている。
基材２２ａは、紙材や、筆記性，印刷適性，押印適性を有する合成紙から形成されたものである。
ここで、本発明に使用される合成紙とは、合成樹脂（合成高分子）を主原料とし、天然紙に相当する外観（白さ、不透明性等）、印刷適性、筆記（印字）適性を有するものをいう。
合成紙の主原料としての合成樹脂としては、例えばポリプロピレン，ポリエチレン，ポリスチレン，ポリ塩化ビニル，ポリエステル，ポリアミド、ポリエチレンテレフタレート等の汎用樹脂が一般的に使用される。
【００２０】
合成紙の製造方法としては、以下の方法が主な方法として知られている。
第１の方法として、内部紙化法があげられる。この方法は、合成樹脂とその他の添加剤等を溶融し、押し出し機を用いて成膜化する方法である。さらにこの方法には、無延伸方式と、２軸延伸方式とがある。２軸延伸方式とは、最初に厚めの溶融樹脂膜を押し出し、冷却後、加熱し、縦横方向に延伸して成膜化する方式である。
第２の方法として、表面紙化法があげられる。この方法は、基材に表面加工を施して合成紙を製造する方法である。この方法には、プラスチックフィルムからなる基材の表面に化学的あるいは物理的処理（マット加工等）を施すことにより、表面に微多孔層を形成する表面処理方式と、合成高分子（プラスチックフィルム、内部紙化合成紙、スパンボンド等）からなる基材の表面に白色ピグメントを塗布する表面塗工方式とがある。
以上の製造方法により、表面に白さ（不透明さ）が与えられるとともに、筆記性，インキの受容性が与えられる。
【００２１】
さらに、本発明に使用する合成紙は、配達完了票として押印されるので、押印適性を有することが求められる。
また、本発明に使用する合成紙においては、剥離の際に引張力が生じるので、以上説明した合成紙の中から、表面強度が大きいものを選択すれば好適である。
【００２２】
発色層２２ｃは、一定の筆圧又は印字圧により破砕される発色カプセルを包含した層である（以下の発色層も同様である）。発色カプセルは、外径が数μｍ程度の大きさのマイクロカプセル中に、ロイコ染料等の発色色素を封入したものである。マイクロカプセル中に発色色素を封入する方法としては、従来より公知のコアセルベーション法や、界面重合法等があげられる。
【００２３】
客用控え票２４は、基材２４ａと、その上面に形成された顕色層２４ｂと、その下面に形成された発色層２４ｃとから構成されている。顕色層２４ｂは、発色層の発色色素と反応することにより読み取り可能に発色する層である（以下の顕色層も同様である）。
【００２４】
荷札用帳票２１は、タック紙であり、基材２１ａと、その上面に形成された顕色層２１ｂと、その下面に形成された接着層２１ｄと、接着層２１ｄ上に貼付された剥離シート２１ｅとから構成されてる。接着層２１ｄは、感圧接着性樹脂等から形成された層である。また、剥離シート２１ｅは、接着層２１ｄに剥離可能に粘着され、使用時（配送物への配送伝票２０の貼付時）に剥離されるものである。
【００２５】
また、客用控え票２４の顕色層２４ｂ上、及び荷札用帳票２１の顕色層２１ｂ上には、それぞれ接着層２５ａ，２５ｂが設けられている。接着層２５ａは、配達完了票２２の発色層２２ｃと接着されている。同様に、接着層２５ｂは、客用控え票２４の発色層２４ｃと接着されている。図１において、接着層２５ａ，２５ｂは、それぞれ客用控え票２４，荷札用帳票２１の右側外縁部を除く外縁部に設けられている。これにより、配達完了票２２と客用控え票２４、及び客用控え票２４と荷札用帳票２１とは、右側外縁部が開口された略袋状に接着されている。このような構成により、配送伝票２０の縦寸法は、従来の配送伝票１０の縦寸法より小さくすることができる。また、荷札用帳票２１が１枚の帳票からなるので、配送伝票２０に用いられる帳票枚数を削減することができる。なお、接着層２５に用いられている接着剤は、強接着型のものであり、配送時等において外力が加わっても剥離等が発生しない程度の接着強度を有する。
【００２６】
図１において、控え用帳票２３は、４枚の控え用帳票２３ａ〜２３ｄから構成されている。控え用帳票２３ａ〜２３ｄの裏面には、複写用カーボン層が設けられている。控え用帳票２３は、配達完了票２２上に重ねられ、図中左側外縁部が切りとり可能に重合されている。
【００２７】
次に、配送伝票２０の使用方法の一実施例について説明する。
先ず、控え用帳票２３ａ上の領域に、配送物の届先，依頼元，品名等の情報（文字，バーコード等）がドットプリンタにより印字される。なお、配送物の届先等の情報は、手書きによる記録でも良い。
【００２８】
控え用帳票２３ａに筆圧またはプリンタによる印字圧が作用すると、複写用カーボン層によって、控え用帳票２３ｂに情報が複写される。また、同様に、控え用帳票２３ｃ、２３ｄに情報が複写される。また、控え用帳票２３ｄの複写用カーボン層によって配達完了票２２に情報が複写され、さらに、配達完了票２２の発色層２２ｃと客用控え票２４の顕色層２４ｂ、及び客用控え票２４の発色層２４ｃと荷札用帳票２の顕色層２１ｂとが、それぞれ反応して、客用控え票２４及び荷札用帳票２１に情報が複写される。ここで、配達完了票２２と客用控え票２４との間、及び客用控え票２４と荷札用帳票２１との間以外の複写方式は、複写用カーボン層によるもの、発色層と顕色層とによるノーカーボン方式によるもの、自己発色タイプによるもの等、いずれかの方式を単独あるいは組み合わせて、適宜選択すれば良い。
また、控え用帳票２３ａに記録される全ての情報が、他の控え用帳票２３ｂ〜２３ｄ，配達完了票２２，客用控え票２４，荷札用帳票２１に複写されるようにしても良く、あるいは所定の情報が選択的に複写されるようにしても良い。
【００２９】
所定の情報が記録された配送伝票２０は、剥離シート２１ｅが剥離されて配送物に貼付される。図３は、配送伝票２０の使用の流れを説明するための図である。先ず、荷送り人は、客用控えとして控え用帳票２３ａを受け取る。また、配送物の取扱い店は、運賃精算書として、控え用帳票２３ｂを受け取る。次に配送物は、発店に配送される。発店は、発店控え及び発店用経理票として、控え用帳票２３ｃ及び２３ｄを受け取る。続いて配送物は着店に配送される。着店において、配送物を荷受け人に配送する配送者（例えば、運送会社の運転手）は、配送指示票として、配達完了票２２及び客用控え票２４を剥がす。配送物に貼着された配送伝票２０は、荷札用帳票２１のみとなる。最終的に配送者は、配達完了票２２と配送物に貼着された荷札用帳票２１の両者が一致しているかを確認した後、荷受け人に配送物を渡す。このとき、配達完了票２２には、荷受け人によって、配送物受取証明の押印がなされる。また、客用控え票２４は、荷受け人の控えとして、又は荷受け人が不在のときの不在連絡票として使用される。
【００３０】
図４は、配達完了票２２が客用控え票２４から剥離されるときの様子を示す断面図である。配達完了票２２は、客用控え票２４と接着されていない部分（図１中右側外縁部）が持ち上げられて剥離される。従って、配達完了票２２の剥離を容易に開始することができる。剥離されると、配達完了票２２の発色層２２ｃが基材２２ａから分離される。これは、基材２２ａと発色層２２ｃとの間の密着力が、発色層２２ｃと接着層２５ａ，接着層２５ａと顕色層２４ｂ，顕色層２４ｂと基材２４ａとの間の密着力より弱いためである。これにより、接着層２５ａは、客用控え票２４の顕色層２４ｂ上に残り、配達完了票２２側には残らない。従って、剥離された配達完了票２２がベタつくこと等がなくなり、配達完了票２２を電算処理等することもできるようになる。なお、配達完了票２２の強度は、この剥離によっても破れ等が生じない強度を有するものである。
また、ここで、配達完了票２２の基材２２ａを筆記性，印刷適性，押印適性を有する合成紙で構成すれば、紙材等で構成したものに比して、雨，擦れ等に強いばかりでなく、上述した剥離を行う際に、極めて容易に剥離を行うことができ、基材２２ａが破損することもないので、好適である。
さらにまた、客用控え票２４が荷札用帳票２１から剥離されるときには、上述の作用と同様に、発色層２４ｃが基材２４ａから分離され、接着層２５ｂが顕色層２１ｂ上に残る。
【００３１】
図５は、本発明による配送伝票の第２の実施例の構成を示す分解斜視図である。以下の実施例において、第１の実施例と同一部分には同一符号を付し、重複する説明は省略する。配送伝票２０Ａは、配送伝票２０に対して客用控え票２４Ａのみ異なる。客用控え票２４Ａは、図中上下側の外縁部にミシン目２４ｆを有する。
また、客用控え票２４Ａの裏面には、発色層２４ｂが形成されているが、このミシン目２４ｆの外側の外縁部領域には発色層２４ｂは形成されていない。これにより、荷札用帳票２１の顕色層２１ｂ上に設けられた接着層２５ｂは、客用控え票２４Ａの基材２４ａと強接着する。
【００３２】
配達完了票２２は、客用控え票２４Ａから第１の実施例と同様に剥離することができる。また、客用控え票２４Ａは、その基材２４ａと荷札用帳票２１の顕色層２１ｂとが強接着されているため、荷札用帳票２１から剥離することができない。しかし、客用控え票２４の図中右側外縁部（荷札用帳票２１と接着されていない部分）を持ち上げ、ミシン目２４ｆを裁断することにより、客用控え票２４を荷札用帳票２１から分離することができる。このように客用控え票２４を分離すれば、客用控え票２４に接着層２５ａ，２５ｂが残らない。また、分離後には、荷札用帳票２１上に複写された情報が見えるようになる。
【００３３】
図６は、本発明による配送伝票の第３の実施例の構成を示す分解斜視図である。配送伝票２０Ｂは、配送伝票２０に対して客用控え票２４Ｂのみ異なる。客用控え票２４Ｂは、図中上下側の外縁部に切り欠き部２４ｇを有する。切り欠き部２４ｇは、略半円状に形成され、所定間隔で所定数設けられている。また、客用控え票２４Ｂには、接着層２５ａは設けられていない。
配送伝票２０Ｂにおいては、第１の実施例と同様に、荷札用帳票２１の顕色層２１ｂ上に設けられた接着層２５ｂが客用控え票２４Ｂの裏面に形成された発色層２４ｃと接着する。また、接着層２５ｂは、切り欠き部２４ｇを介して切り欠き部２４ｇと対向する配達完了票２２の裏面の発色層２２ｃと接着する。
【００３４】
配達完了票２２は、第１の実施例と同様に客用控え票２４Ｂから剥離することができる。このときに、配達完了票２２の発色層２２ｃの切り欠き部２４ｇと対向する部分が分離され、この部分が荷札用帳票２１の顕色層２１ｂ上に設けられた接着層２５ｂ上に残る。
また、客用控え票２４Ｂは、第１の実施例と同様に荷札用帳票２１から剥離することができる。このときに、客用控え票２４Ｂの発色層２４ｃが分離され、荷札用帳票２１の顕色層２１ｂ上に設けられた接着層２５ｂ上に残るようになる。また、接着層２５ａが設けられていないので、剥離された客用控え票２４Ｂには、接着層２５ａ，２５ｂが残らない。
【００３５】
図７は、本発明による配送伝票の第４の実施例の構成を示す分解斜視図である。配送伝票２０Ｃは、第３の実施例の配送伝票２０Ｂと比較して、客用控え票２４Ｃに、第２の実施例と同様のミシン目２４ｆが設けられていることのみ異なる。これにより、客用控え票２４Ｃを剥離した後に、ミシン目２４ｆを裁断すれば、荷受け人に対して切り欠き部２４ｇのない帳票を渡すことができ、好ましい。
【００３６】
一方、客用控え票２４Ｃにおいて、第２の実施例と同様に、ミシン目２４ｆの外側の外縁部領域（裏面）に、発色層２４ｃを形成しないようにしても良い。このように形成すれば、荷札用帳票２１の顕色層２１ｂ上に設けられた接着層２５ｂは、客用控え票２４Ｃの基材２４ａと剥離不能に接着する。客用控え票２４Ｃを荷札用帳票２１から分離するときには、ミシン目２４ｆを裁断すれば良い。
【００３７】
以上、本発明の一実施例について説明したが、本発明は、上述した実施例に限定されることなく、その要旨を逸脱しない範囲内で種々の変形が可能である。例えば、控え用帳票２３は、４枚から構成したが、使用態様に応じて何枚でも良い。さらに、配送伝票２０は、配達完了票２２，客用控え票２４，荷札用帳票２１のみから構成されるものであっても良い。
【００３８】
切り欠き部２４ｇは、いくつ形成しても良い。また、切り欠き部２４ｇの代わりに、例えば略円状の開口部でも良い。切り欠き部２４ｇの切り欠き面積又は開口部の開口面積は、接着層２５ａ，２５ｂの接着力等により決定されるものである。
また、客用控え票２４にミシン目２４ｆを設けて荷札用帳票２１と剥離不能に接着するときには、客用控え票２４の裏面には発色層２４ｃを設ける必要がなくなる。このときには、荷札用帳票２１の上面には、例えば発色剤と顕色剤とからなり、一定の筆圧又は印字圧により自己発色する自己発色層を設けても良い。
【００３９】
第１の実施例（図１，図２）において、接着層２５ａ，２５ｂは、それぞれ客用控え票２４の顕色層２４ｂ上，荷札用帳票２１の顕色層２１ｂ上に設けたが、これと対向する面、すなわち配達完了票２２の発色層２２ｃ上，客用控え票２４の発色層２４ｃ上に設けても良い。
【００４０】
【発明の効果】
本発明による配送伝票によれば、上側帳票が発色層から分離されるようにしたので、運送時等に剥離が発生せず、かつ剥離しやすい配送伝票を提供することができる。
さらに、接着層を用いて上側帳票，配送票，下側帳票を配置したので、配送伝票の縦寸法を小さくすることができるとともに、配送伝票に使用される帳票の枚数を削減することができる。
さらにまた、分離された上側帳票に接着剤が残らないので、ベタつくこと等がなくなり、電算処理等を行うことができるようになる。
【００４１】
また、請求項１〜４に記載の配送伝票にあっては、裁断部を設けたので、接着層が設けられた部分を配送票から分離することができる。
さらに、請求項２〜６に記載の配送伝票にあっては、下側帳票に設けられた接着層が配送票の切り欠き部又は開口部を介して上側帳票と接着するので、配送票に接着層を設ける必要がなくなる。
【図面の簡単な説明】
【図１】本発明による配送伝票の第１の実施例の構成を示す分解斜視図である。
【図２】図１の荷札用帳票２１，客用控え票２４，配達完了票２２の断面を詳細に示す図である。
【図３】配送伝票２０の使用の流れを説明するための図である。
【図４】配達完了票２２が客用控え票２４から剥離されるときの様子を示す断面図である。
【図５】本発明による配送伝票の第２の実施例の構成を示す分解斜視図である。
【図６】本発明による配送伝票の第３の実施例の構成を示す分解斜視図である。
【図７】本発明による配送伝票の第４の実施例の構成を示す分解斜視図である。
【図８】従来のこの種の配送伝票の一例の構成を示す斜視図である。
【符号の説明】
２０  配送伝票
２１  荷札用帳票
２１ａ  基材
２１ｂ  顕色層
２１ｄ  接着層
２１ｅ  剥離シート
２２  配達完了票
２２ａ  基材
２２ｃ  発色層
２３（２３ａ〜２３ｄ）  控え用帳票
２４  客用控え票
２４ａ  基材
２４ｂ  顕色層
２４ｃ  発色層
２５ａ，２５ｂ  接着層
【図１】
0003630717.tif 000002
【図２】
0003630717.tif 000003
【図３】
0003630717.tif 000004
【図４】
0003630717.tif 000005
【図５】
0003630717.tif 000006
【図６】
0003630717.tif 000007
【図７】
0003630717.tif 000008
【図８】
0003630717.tif 000009